(57)【特許請求の範囲】
【請求項１】
ＯＡ機器類へ接続される配線を収納するように形成したほぼ箱状をなす配線用家具であって、この家具の全長における上面を、この上面から前記配線が投入できるように長さ方向全長に亘り溝状に開放形成すると共に、前記開放上面の下方内部をこの家具の全長に亘り前記配線が挿通できる配線収挿部に形成した配線用家具において、前記溝状開放部を形成する部材の長さ方向任意の位置に着脱自在に設けられる部材であって、前記溝状開放部の形成部材の上面に両端を架設できる長さの板状部材の該両端近傍に、その溝状開放部の幅方向に沿って形成したビス挿通穴を有し、かつ、中央部に、トレーや照明器具等の付属機器を支持するためのポスト部材を直接又はブラケットを介して間接に取付ける取付部を具備したベース部材と、このベース部材と協働して前記溝状開放部の形成部材を緊締挾持するため前記板状部材の両端部の下面に配される２個の断面略クランク状をなす部材であって、夫々のクランク状部材のビス穴を有する下位辺と前記板状部材の両端部との間に前記溝状開口部の形成部材を挾ませ、当該クランク状部材の上位辺のビス穴に前記ベース部材のビス挿通穴を通したビスを螺着する挾持部材を具備して成り、机上パネル，トレー状物載台，照明器具等の付属機器を前記ポスト部材に取付けるようにした支持装置を、前記溝状開口部の長さ方向所望の位置を選択して設けるようにしたことを特徴とする配線用家具。
【請求項２】
フレーム上面の溝状開放部には、ベース部材に立設したポスト部材又はブラケットを貫挿できる材質又は構造を具備する蓋部材を設けた請求項１の配線用家具。
【請求項３】
支持装置は、ビスを緩めて挾持部材のベース部材に対する姿勢又は位置を変更することにより、形成部材に対する着脱乃至は位置変更を可能にした請求項１又は２の配線用家具。
【請求項４】
支持装置のポスト部材が、溝状開放部の上方に当該開放部上面との間に適宜間隔を有して立設された机上パネルと干渉しないようにするため、前記ポスト部材を屈曲形成したブラケットを介してベース部材に取付け、該ベース部材を前記溝状開放部の形成部材に取付けるようにした請求項１〜３のいずれかの配線用家具。
【請求項５】
ベース部材に立設されているポスト部材にブラケットの基部を支持させるようにした請求項４の配線用家具。
【発明の詳細な説明】
【０００１】
【発明の属する技術分野】
本発明はオフィス等で使用するために様々な形態で配置されるデスクに隣接して並べ、前記デスク上で使用されるいわゆるＯＡ機器類の電源線や信号線、或は、これらの線に接続された各種のコネクタ等（以下、単に「配線」という）を収容して前記ＯＡ機器類に接続される配線を、合理的、かつ、見晴えよく処理できるようにした配線用家具であって、隣接したデスク上で使用するトレーや照明器具などの付属機器の支持装置を具備した配線用家具に関するものである。
【０００２】
【従来の技術】
近時、オフィスのいわゆるＯＡ化が著しく進展し、オフィス内では個々人が夫々に種々のＯＡ機器を使用するようになった。これに伴いデスクの上で使用するＯＡ機器に接続される配線が大量になり、その配線の取扱いが懸案となっている。
【０００３】
従来から上記事情に対応するため、デスクの幕板側を例えば二重壁構造としその内部を配線の収納ダクトとして利用できる構造を具備したデスクや、デスクの前面投影形状と同形状の平面からみて薄い箱状体を形成し、この箱状体をデスクの前面に一体結合したり、対向配置するデスク前面の間に挾持させて並べ、箱状体の内部に配線を収納するようにした配線ダクトが多数提案されており、これらの中には実用に供されているものもある。
【０００４】
そして、従来の配線ダクトにおいては、溝状に開口された箱状ダクト本体の上面に、柔軟性材料や刷子状部材によるスリット部材、又は、このスリット部材を有する蓋部材を装着すると共に、配線ダクト本体の内部に、前記スリット部材から外部に突出する筒状，柱状等の支持ポストを設け、このポスト部材に机上パネルや電話器用等のトレーなどの付属機器の支柱や基部などを連結などして支持させるようにしたものも提案されているが、次のような問題がある。
【０００５】
即ち、従来の配線ダクトは、その２本以上を連結したり、又は、連結しないで直列に並べて使用することも多いが、フレームの構造に起因して上面に形成した溝状開口部が直列した配線ダクト間で貫通せず、それ故に、配線ダクト同士の継目に付属機器を取付けるための支持装置を位置付けることができない、換言すれば、付属機器の支持装置の配設位置は、個々の配線ダクトの左右のスパン間に限られるため、継目に配置すればスペース的に有利な場合でも、そこが利用できない点である。
【０００６】
また、従来の配線ダクトにおいて、上面開口部の内部に机上パネルの支持手段を設け、この支持手段に机上パネルを支持させて設けると、トレーや照明器具の取付け手段がパネル又はパネルの支持手段と干渉して、パネル以外の付属機器の支持手段を開口部の内部に設けられないとか、設け難いという問題もあった。
【０００７】
更に、従来の配線ダクトにおいては、上面開口部に施着されたスリット部材、又は、該スリット部材を具備した蓋部材の支持構造やその支持部材の位置に起因し、上記付属機器の支持装置の取付部が前記蓋部材の支持構造と干渉しないように配線ダクトの上面からかなり深く入った位置に付属機器の支持手段を取付ける必要があるため、支持装置自体の取付け作業、或は、その位置変更作業が行い難いという問題がある。
【０００８】
【発明が解決しようとする課題】
本発明は上記のような箱形の配線ダクトの現状に鑑み、上面開口部近くの浅い位置にトレー等の付属機器を取付けるためポスト状の支持装置を配置してその取付けや位置変更を容易にし、また、配線ダクトの継目であっても前記支持装置の取付けが可能な配線ダクト機能を具備した配線用家具、及び、この配線用家具の上に机上パネルが先に立設されていても他の付属機器の取付けが可能な配線用家具を提供することを、課題とするものである。
【０００９】
【課題を解決するための手段】
上記課題を解決することを目的としてなされた本発明配線用家具の構成は、ＯＡ機器類へ接続される配線を収納するように形成したほぼ箱状をなす配線用家具であって、この家具の全長における上面を、この上面から前記配線が投入できるように長さ方向全長に亘り溝状に開放形成すると共に、前記開放上面の下方内部をこの家具の全長に亘り前記配線が挿通できる配線収挿部に形成した配線用家具において、前記溝状開放部を形成する部材の長さ方向任意の位置に着脱自在に設けられる部材であって、前記溝状開放部の形成部材の上面に両端を架設できる長さの板状部材の該両端近傍に、その溝状開放部の幅方向に沿って形成したビス挿通穴を有し、かつ、中央部に、トレーや照明器具等の付属機器を支持するためのポスト部材を直接又はブラケットを介して間接に取付ける取付部を具備したベース部材と、このベース部材と協働して前記溝状開放部の形成部材を緊締挾持するため前記板状部材の両端部の下面に配される２個の断面略クランク状をなす部材であって、夫々のクランク状部材のビス穴を有する下位辺と前記板状部材の両端部との間に前記溝状開口部の形成部材を挾ませ、当該クランク状部材の上位辺のビス穴に前記ベース部材のビス挿通穴を通したビスを螺着する挾持部材を具備して成り、机上パネル，トレー状物載台，照明器具等の付属機器を前記ポスト部材に取付けるようにした支持装置を、前記溝状開口部の長さ方向所望の位置を選択して設けるようにしたことを特徴とするものである。
【００１０】
また、本発明配線用家具における付属機器取付用の支持装置は、ビスを緩めて挾持部材のベース部材に対する姿勢又は位置を変更することにより、形成部材に対する着脱乃至は位置変更を可能にする構成にしてもよい。
【００１１】
【発明の実施の形態】
次に本発明の実施の形態について図に拠り説明する。図１は本発明の配線用家具の一例においてフレームの前後面にカバー部材を取付けない状態を示す縦断側面図、図２は図１の本発明配線用家具にカバー部材を取付け、かつ、蓋部材の配線等挿通溝から挿通させて衝立状の机上パネルの支脚を設けた例を示す縦断側面図、図３は図２の本発明配線用家具においてエンドプレートを取付けた状態の側端部の平断面図、図４は図３の本発明配線用家具においてエンドプレートの外側に補助プレートを取付けた状態の平断面図、図５は蓋部材の配線挿通溝を通して取付けた机上パネル等の支持金具の例を示す側断面図、図６は３本の本発明家具の構成部材を示す斜視図、図７は本発明配線用家具の使用状態の一例を説明する平面図、図８は本発明配線用家具の使用状態の他の例の平面図、図９は本発明配線用家具の連結用アタッチメントの一例の平面図、図10は連結用アタッチメントの別例の平面図、図11は図10の連結用アタッチメントの高さ方向中間を省略した斜視図、図12は本発明配線用家具における支持装置の一例の斜視図、図13は支持装置の別例の要部の斜視図、図14は支持装置の他の例の要部の斜視図、図15は図14の支持装置に机上パネルを支持させた要部の正面図、図16は他の支持装置における要部の正面図、図17は別の支持装置における要部の正面図である。
【００１２】
図１〜図６において、1a，1bは正面から視て左，右に位置する垂直な柱部材で、図の例では角パイプにより形成されているがパイプの断面形状は角形以外でもよく、また、パイプに代え型材により形成してもよい。1c，1dは、前記柱部材1a，1bの上端と中間よりも少し下方に位置付けて、当該左右の柱部材1a，1b間に架設固定した上，下の梁部材で、これら二種類の部材1a〜1cにより１つの枠体１を形成する。本発明では、この枠体１と同じ柱部材2a，2bと梁部材2c，2dを用いて形成した枠体２を、前記枠体１と前後に平行に並べ、前後に並べた枠体１，２の左側と右側とにおいて、前後に位置する柱部材1a，2b、同1b，2a同士の上，下部を平断面略凹状をなす連結部材３により連結することにより、４本の柱部材1a，1b、2a，2bによって自立可能なフレームＦを形成する。
【００１３】
上記フレームＦにおいて、枠体１，２は、図３，図４に見るように、平面から見ると対称な形態であるが、同一構造であるから、本発明では枠体１又は２のいずれか一方を造り、同じ枠体の表裏を逆にして使用すれば、構成部品の準備，製造手間の上で有利になる。また、フレームＦにおいて、上位の梁部材1c，2cは、下位の梁部材1d，2cと断面形状が異なるが、これを同じ断面形状とするのは任意である。図示した例では、上位の梁部材1c，2cは、その上半部が柱部材1a，1b、同2a，2bの前面から後述するカバー部材４，５の厚み分に見合うように、突出した突出断面11c，21cを具備して形成されている。3aは上記フレームＦの左右側面において、前記の連結部材３の下位の部材の下方に位置する柱部材1a，2b、同1b，2aの間に着脱自在に狭持させて装着した脚部カバーで、前記連結部材３とこのカバー3a、並びに、各柱部材1a，2b、又は、同1b，2aとが形成する脚部に沿った平面視略矩形の空間Ｓが、床から立上げられる配線、或は、床に向け垂下させる配線の挿通路となる。フレームＦにおいて、1e，2eは４本の柱部材1a，1b、同2a，2bに側面に形成した連結用部材の係止部となる穴で、この例では連結用部材としてボルト，ナット（図示せず）を使用するが、連結用部材は、ボルト，ナットに限られるものではない。また、上記穴1e，2eも連結用部材の係止部として機能すれば穴に代わる切欠であってもよい。
【００１４】
４，５は、前記フレームＦの前後面に、一例としてスナップボタンタイプのファスナ等によって着脱自在に取付けた幕板状のカバー部材で、カバー部材４，５の正面幅は、前記フレームＦにおける枠体１，２正面幅と同等に形成されている。このカバー部材４，５の上，下幅は、図６の例では多少狭目に形成されているが、フレームＦの上，下幅一ぱいに形成してもよく、上下幅の大きさは、設計上，デザイン上の問題で任意に形成できる。図示した例では、カバー部材４，５の上端と、梁部材1c，2cの突出断面11c，21cの下端との間には、デザイン上の凹状目地4a，5aが形成されるようにカバー部材４，５の上下幅と取付け位置が調整されている。
【００１５】
６は、上記フレームＦにおいて、そのフレーム上面に被着した蓋部材で、ここでは次のように構成されている。
フレームＦにおける上位の梁部材1c，2cにおける突出断面11c，21cの上面12c，22cには、梁部材1c，2cと同長の２本の縁部材７，７が取付けられると共に、両梁部材1c，2cの上位対向面に、蓋部材６を下から支持するためにブラケット状の駒部材８の複数個が、前記対向面において梁部材1c，2cの長さ方向にスライド可能に取付けられている。なお、駒部材８は、図１では左側の駒部材８のみ図示し、右側のそれは省略してある。また、その他の図には前記駒部材８は表わされていない。ここで、縁部材７，７における内側立壁面7a，7aは、合成樹脂成形品で形成され、蓋部材６を係止するため凹状をなす係止部7b，7bに形成されている。
【００１６】
蓋部材６は、対向面に隙間９を保って前後の梁部材1c，2cの上面に夫々に形成した係止部7bと駒部材８の上に、それぞれ支持される垂下脚部6b，6cを設けた２本の蓋本体6a，6aと、対向した脚部6c，6cの対向面にそれぞれに設けた柔軟なゴム又はプラスチック製の２本のスリット部材6d，6dにより形成されている。そして、上記の蓋本体6aは、一例としてその長さ方向の２箇所以上に開口部6eを設け、この開口部に開閉自在のキャップ6fを装着して形成されている。この構成によって、前記スリット部材6d，6dの当接対向面の拡縮する隙間が配線等の挿通溝として機能し、前記キャップ付きの開口部6eが配線挿通口として機能する。上記スリット部材6dは、刷子状部材で形成することもできる。
【００１７】
10はフレームＦにおいて、前後の梁部材1c，2c、同1d，2dの上に載置した断面略凹状のトレー部材で、このトレー部材10は、前記梁部材1c，2c、同1d，2cの長さ方向にスライド自在である。このためトレー部材10は、梁部材1c，2c、1d，2dの長さの１／２〜１／３程度の長さのものが、一段当り２枚〜３枚用いられている。
【００１８】
図６，図４に示した11は、前後のカバー部材４，５、並びに、蓋部材６を着脱自在に取付けたフレームＦにおいて、このフレームＦの左右の側面に着脱自在に装着したエンドプレートで、前記フレームＦにおける左，右の側端面が外部に露出しないようにするためのカバーとして設けられる。前記フレームＦの左右側端には、前記エンドプレート11に代え、図６に例示するエンドパネル12を装着することもある。この点については、後に説明する。図４において、11aは、エンドプレート11とデスクの側面Dsの前端dfの間に生じる隙間Dgを埋めるため、柱部材1a，2bに着脱自在に取付けて前記エンドプレート11と協働する補助プレートである。
【００１９】
図２，図５、及び、図12〜図17において、13はフレームＦの内部において、上記の梁部材1c，2cにおける上部の内側辺11c′，21c′に支持させて取付けた付属機器の支持装置であって、机上パネルＴＰ等の付属機器を取付けて支持するための装置であり、図５，図12に示した例では次のように形成されている。即ち、図５，図12において、前記梁部材1c，2cの内面において対向する上面辺12c，22cの間に架設される横長板状のベース部材13aと、このベース部材13aの下面側にビス13cによって止められることにより当該ベース部材13aと協働して梁部材1c，2cの内側辺11c′，21c′を上，下から挟持する断面略階段状乃至は略クランク状の左，右の挾持部材13bと、前記ベース部材13aの上面中央に形成したポスト部材取付部となる穴に溶接やボルト，ナット等により固定立設された短管状のポスト部材13dとにより形成されている。図12において、13eは前記ベース部材13aにその長さ方向に沿って設けたネジ挿通穴としての長穴、13fは挾持部材13bの下位辺に設けたビス穴で、前記両部材13a，13bを重ねて前記長穴13eを通たビス13cをビス穴13fに緩く螺装していることにより、挾持部材13bを内側辺11c′，21c′の下面から離脱させ、又は、離脱させないでこの支持装置を梁部材1c，2cの内側辺11c′，21c′の上で自由に摺動させ、位置を変更することができる。位置が決まったら、前記ビス13cを締込んで固定する。
【００２０】
図12の支持装置13は、図５に仮想線で示す長目のポスト部材13d′に机上パネルＴＰの下部に垂設した軸状の支杆P1を挿入して机上パネルＴＰを配線用家具の上面中央部に立設支持する。一方、図５に実線で示すように、第二支持ポスト部材14を先端部b２に立設したクランク状のブラケットB１の基部b1を、上記の長目のポスト部材13dの手前側に実線で示したポスト13dの上端にネジ止めBiや溶接により取付け、この第二ポスト部材14に机上照明器具であるタスクライト等の付属機器の軸を挿入して支持することができるように形成されている。そして、この支持装置13は、梁部材1c，2cにおける長さ方向の任意の位置に配置できるので、机上パネルＴＰを支持する長目のポスト部材13d′と、ブラケットB１を支持するポスト部材13dは、互に干渉することなく、同時に設けることができる。また、上記ベース部材13aと挾持部材13bは、連結されたフレームＦにおける上位の梁部材1c，2c同士が両者の端面で直接接続され、かつ、その間に何らの障害物もないから、前記梁部材1c，2cの長さ方向の任意の箇所（継目を含む）に位置させることができる。更に、夫々のポスト部材13d，13d′は、蓋部材６における２本のスリット部材6d，6dの間を押し拡げ、そこから蓋部材６の上面側へ突出させる。
【００２１】
本発明配線用家具における支持装置は、上記例のほか、図13〜図17に例示する形態のものもあるので、以下、これらについて説明する。図13に示した装置は、ベース部材13aの上面のポスト部材取付部にポスト部材13dを溶接などにより固定立設し、かつ、このポスト部材13dにブラケットＢを介して第二ポスト部材14を設けた点は、図５の例と同じ構成であるが、ポスト部材13dとブラケットB１の基部b1を溶接により連結し、このポスト部材13dの筒穴13hに、机上パネルＴＰの下面に垂設した支杆P1を挿入できるようにした点が、図５に示したものと異なる。また、図５の装置ではベース部材13aに、図12に示したように、左，右端部に夫々２列の長穴13eをビス挿通穴として形成していたが、図13の例では長穴13eは一列（一個）にしている。
【００２２】
図14に示した支持装置は、ベース部材13aの上面の取付部に立設固定したポスト部材13dの上端に、正面略Ｌ字状のブラケットB２の基部b1を溶接等により取付けて形成し、このブラケットB２の立上り片b３を、図15に示すように、机上パネルＴＰにおける側枠体TPfを外したパネル本体TPbの側面に当接してビスBiにより固定し、その上から前記側枠体TPfを装着するようにしたものである。
【００２３】
本発明では、机上パネルＴＰ以外の付属機器を、図16，図17に例示するような支持装置を介して配線用家具に取付けることもあるので、次にこの点について説明する。即ち、机上パネルＴＰ以外の付属機器、例えば、電話トレーやファイルスタンドなどの取付基部が、その下部に垂下した軸を具備している場合、先に図５により説明した取付態様の外に、図16や図17に示した構造のブラケットB１を使用し、これらのブラケットB１の基部b1を、本発明配線用家具の支持装置におけるベース部材13a又はこのベース部材13aに立設したポスト部材13dに支持させる一方、前記の付属機器に垂下した軸は第二ポスト部材14の穴に嵌挿することにより、本発明配線用家具に机上パネルＴＰを立設した状態で、それと干渉することなく他の付属機器を支持させることができるのである。
【００２４】
図16において、ブラケットB１は、その基部b1にボルト穴Vhを設け、この穴Vhをボルト，ナットＶ，Ｎによってベース部材13aの中央に設けたポスト部材13dの取付部として形成した穴に、ポスト部材13dに代えて直接結合する。一方、図17のブラケットB１は、その基部b1の下面に軸P2を垂設固定し、この軸P2を、ベース部材13aに立設したポスト部材13dの穴に嵌挿する。これにより、机上パネルＴＰが本発明配線用家具に既に設けられているとき、他の付属機器を前記パネルＴＰと干渉することなく設けたい場合、図16又は図17のブラケットB１を選択して使用すれば、容易に付属機器を取付けることができる。なお、図５、及び、図12〜図17において同一符号は同一部材，同一部分を指すものとする。
【００２５】
上記に説明したトレー等の付属機器の支持装置は、本発明配線用家具のみならず、通常のデスク，カウンター等において天板の長さ方向に溝状開口部を形成し、この開口部の下方を、ＯＡ機器用等の配線の挿通，収納ができるようにした家具にも、そのまま適用することができる。
【００２６】
以上により本発明の配線用家具の構造の一例、並びに、その家具用の付属機器の支持装置の例を構成するので、以下に本発明配線用家具の使用形態例について、図６〜図８により説明する。本発明による配線用家具は、図６〜図８に示すように、基本的には、カバー部材４，５、蓋部材６を装着したフレームＦの２本以上を、長さ方向で突合せ状態に並べ、それらの対向した連結穴1e，2eに、ボルト，ナット等による連結用部材を係止させると共に、連結されたフレームＦにおいて左，右の外側端面に位置したフレームＦの外側面にエンドプレート11（必要があれば、補助プレート11aも一緒に）、又は、エンドパネル12を取付けて使用する。
【００２７】
図７は、カバー部材４，５を装着して具備する４本のフレームＦを連結したフレーム連結体にエンドパネル12を取付けた状態の本発明配線用家具と、前記パネル12に代えエンドプレート11を取付けた本発明配線用家具をオフィス内の床上に配置し、各フレーム連結体におけるカバー部材４，５に、デスクＤをその天板の長さ方向が直交する向き、又は、平行な向きで当接させてレイアウトすることにより、各デスクＤの天板上で使用するＯＡ機器（図示せず）の配線を、蓋部材６を外して各フレームＦの上面にその全長に亘って形成される開放部から内部に形成された配線収容部に直接投げ込んだり、或は、施着された状態の蓋部材６における蓋本体6aの開口部6eやスリット部材6d，6dの間からフレームＦの内部からコンセント等の接続器を具備した配線を引出し、前記ＯＡ機器側の配線と接続するようにした状態を示す平面図である。各フレームＦは連結用部材により連結一体化されているので、エンドパネル12を取付けなくても自立し、従って、この図７に示したようなデスク配列が可能なのである。
【００２８】
図８は、４本のフレームＦを連結したフレーム連結体の左，右の外側端にエンドプレート11を取付けた状態の本発明配線家具を挾むようにしてフレームの両側に８本のデスクＤを各デスクＤの天板の長さ方向が前記フレームＦの長さ方向に沿うように配設した例で、この場合も、図７の例と同様に各デスクＤの上で使用するＯＡ機器のための配線をフレームＦの内部に形成される配線収容部に収納して、見晴えよく処理することができる。なお、図８の連結した各フレームＦにおいて、それらの前後面にカバー部材４，５を取付けるか否かは、任意である。
【００２９】
図７，図８により上記に説明した本発明配線用家具は、２本以上の本発明配線用家具のフレームＦ同士を、直接、それらの連結穴1e，2eにおいて長さ方向で直列的に接続して使用する態様を示したものであるが、本発明配線用家具は、図９，図10の平面図に例示したような三方向乃至は四方向用の連結アタッチメントJM1，JM2を使用すれば、直線状のみならず、この例では平面から視て三叉状乃至は十字状に連結した配線態様を採ることが出来る。
【００３０】
図９，図10の連結アタッチメントJM1，JM2は、図の例ではカバー部材４，５を装着した状態のフレームＦの左，右の側端面の前後幅と同一幅の接合面Jfを、図９の例では120度間隔で３面、図10の例では90度間隔で４面を具備して形成されている。これらのアタッチメントJM1，JM2では、各接合面Jfは、接合されるフレームＦの左，右の側端面に、柱部材1a，2bにより形成される縦スリット状の隙間と同幅の縦方向の隙間ｇを形成し、この隙間ｇの上，下部を連結金具ｍにより結合している。この金具ｍは、フレームＦの連結部材３と同一仕様のものを、フレームＦにおける連結部材３と同じ高さに設けられている。
【００３１】
上記連結用アタッチメントJM1，JM2は、図11にアタッチメントJM2により例示するように各接合面Jfに、本発明配線用家具のフレームＦにおける左，右側端面に設けた連結用のボルト穴1e，2eと対応する位置に、ボルト穴Bhが形成されている。従って、この連結用アタッチメントJM1，JM2に対する前記フレームＦの結合は、両者の対向するボルト穴1e，2e、同Bhにボルト，ナット等の連結用部材を通して係止することにより行う。図11において、CaはこのアタッチメントJM2の上端に被着する帽子状のキャップで、アタッチメントJM1については、図９に示した平面形状と同形状のキャップ（図示せず）が被着される。
【００３２】
本発明配線用家具の連結用アタッチメントは、図示しないが、２つの接合面Jfを、ヒンジ又は軸を介して蝶番状に任意角度に開閉できる形態で接続すると共に、２つの接合面Jfの非接続側に、一例として蛇腹状に拡縮自在の接続壁部材を設けて形成することにより、この連結用アタッチメントを介して接続される本発明配線用家具を、このアタッチメントにおいて任意の角度に配向することが可能になる。
【００３３】
【発明の効果】
本発明は以上の通りであって、ＯＡ機器類へ接続される配線を収納するように形成したほぼ箱状をなす配線用家具であって、この家具の全長における上面を、この上面から前記配線が投入できるように長さ方向全長に亘り溝状に開放形成すると共に、前記開放上面の下方内部をこの家具の全長に亘り前記配線が挿通できる配線収挿部に形成した配線用家具において、前記溝状開放部を形成する部材の長さ方向任意の位置に着脱自在に設けられる部材であって、前記溝状開放部の形成部材の上面に両端を架設できる長さの板状部材の該両端近傍に、その溝状開放部の幅方向に沿って形成したビス挿通穴を有し、かつ、中央部に、トレーや照明器具等の付属機器を支持するためのポスト部材を直接又はブラケットを介して間接に取付ける取付部を具備したベース部材と、このベース部材と協働して前記溝状開放部の形成部材を緊締挾持するため前記板状部材の両端部の下面に配される２個の断面略クランク状をなす部材であって、夫々のクランク状部材のビス穴を有する下位辺と前記板状部材の両端部との間に前記溝状開口部の形成部材を挾ませ、当該クランク状部材の上位辺のビス穴に前記ベース部材のビス挿通穴を通したビスを螺着する挾持部材を具備して成り、机上パネル，トレー状物載台，照明器具等の付属機器を前記ポスト部材に取付けるようにした支持装置を、前記溝状開口部の長さ方向所望の位置を選択して設けるようにしたので、上面開口部の全長においてトレー等の付属機器を取付けるためのポスト状の支持装置を配置することができることは勿論、上面開口部は配線用家具の全長に亘り形成されているので、この配線用家具同士の継目であっても前記支持装置の取付けが可能になる。
【００３４】
また、本発明配線用家具における支持装置では、配線用家具の支持装置に机上パネルを支持させて取付けた状態であっても、他の付属機器を取付けるための支持装置におけるポスト部材を、前記机上パネルとの干渉を避けることができるクランク状のブラケットを介して取付けるようにしたので、机上パネルが取付けられていても、他のトレーや照明器具等の付属機器の取付けに何らの支障もないという格別の効果が得られる。この効果は、通常のデスク天板等に溝状開口部を形成し、その下部を配線収挿部に形成したデスク等の家具におけるトレーやタスクライト等の付属機器の支持装置に、前記支持装置を使用した場合にも、同様に得られる。
【図面の簡単な説明】
【図１】  本発明の配線用家具の一例においてフレームの前後面にカバー部材を取付けない状態を示す縦断側面図。
【図２】  図１の本発明配線用家具にカバー部材を取付け、かつ、蓋部材の配線等挿通溝から挿通させて衝立状の机上パネルの支脚を設けた例を示す縦断側面図。
【図３】  図２の本発明配線用家具においてエンドプレートを取付けた状態の側端部の平断面図。
【図４】  図３の本発明配線用家具においてエンドプレートの外側に補助プレートを取付けた状態の平断面図。
【図５】  蓋部材の配線挿通溝を通して取付けた机上パネル等の支持金具の例を示す側断面図。
【図６】  ２本の本発明家具の構成部材を示す斜視図。
【図７】  本発明配線用家具の使用状態の一例を説明する平面図。
【図８】  本発明配線用家具の使用状態の他の例の平面図。
【図９】  本発明配線用家具の連結用アタッチメントの一例の平面図。
【図10】  連結用アタッチメントの別例の平面図。
【図11】  図10の連結用アタッチメントの高さ方向中間を省略した斜視図。
【図12】  本発明配線用家具における支持装置の一例の斜視図。
【図13】  支持装置の別例の要部の斜視図。
【図14】  支持装置の他の例の要部の斜視図。
【図15】  図14の支持装置に机上パネルを支持させた要部の正面図。
【図16】  他の支持装置における要部の正面図。
【図17】  別の支持装置における要部の正面図。
【符号の説明】
１，２    枠体
1a，1b、2a，2b    柱部材
1c，1d、2c，2d    梁部材
1e，2e    連結用部材
３        連結部材
3a        脚部カバー
４，５    幕板状カバー部材
4a，5a    凹状目地
６        蓋部材
6a        蓋本体
6b        支持される脚部
6c        対向した脚部
6d        スリット部材
6e        開口部
6f        キャップ
７        縁部材
7a        内側立壁面
7b        係止部
８        ブラケット状駒部材
９        隙間
10        凹状トレー部材
11        エンドプレート
12        エンドパネル
13        支持装置
13a       ベース部材
13b       挾持部材
13c       ビス
13d       ポスト部材
13e       長穴
13f       ビス穴
B１，B２    ブラケット
14        第二ポスト部材
Ｆ        フレーム
ＴＰ      机上パネル
【図１】
0003837222.tif 000002
【図２】
0003837222.tif 000003
【図３】
0003837222.tif 000004
【図４】
0003837222.tif 000005
【図５】
0003837222.tif 000006
【図６】
0003837222.tif 000007
【図７】
0003837222.tif 000008
【図８】
0003837222.tif 000009
【図９】
0003837222.tif 000010
【図１０】
0003837222.tif 000011
【図１１】
0003837222.tif 000012
【図１２】
0003837222.tif 000013
【図１３】
0003837222.tif 000014
【図１４】
0003837222.tif 000015
【図１５】
0003837222.tif 000016
【図１６】
0003837222.tif 000017
【図１７】
0003837222.tif 000018